【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
カテゴリ固有電子コンテンツを提供する方法であって：
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程；
前記アクセスされた情報に基づき、個々の、記録されているクエリ提出時間枠属性と、それに対応するそれぞれの、記録されているカテゴリ属性との間の関係を特定する工程；
検索クエリを受信する工程；
前記受信された検索クエリに対応する、受信されたクエリの提出時間枠属性を決定する工程；
前記受信されたクエリの提出時間枠属性を、前記アクセスされた情報中の、前記記録されているクエリ提出時間枠属性と比較する工程；
第１の記録されているクエリ提出時間枠属性が、前記受信された検索クエリに対応していると決定することを条件として：
前記受信された検索クエリに対応していることが決定されている前記第１の記録されている時間枠属性、及び、前記個々の、記録されているクエリ提出時間枠属性と、それに対応するそれぞれの、記録されているカテゴリ属性との間で特定されている関係に基づき、第１の記録されているカテゴリ属性が前記受信された検索クエリに対応することを決定する工程；及び
前記決定された第１の記録されているカテゴリ属性に基づき、検索結果を特定する工程；並びに、
前記第１の記録されているクエリ提出時間枠属性とは異なる第２の記録されているクエリ提出時間枠属性が、前記受信された検索クエリに対応していると決定することを条件として：
前記受信された検索クエリに対応していることが決定されている前記第２の記録されている時間枠属性、及び、前記個々の、記録されているクエリ提出時間枠属性と、それに対応するそれぞれの、記録されているカテゴリ属性との間で特定されている関係に基づき、第２の記録されているカテゴリ属性が前記受信された検索クエリに対応することを決定する工程；及び
前記決定された第２の記録されているカテゴリ属性に基づき、検索結果を特定する工程；
を含む、前記方法。
【請求項２】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程が、前記クエリログに含まれている情報にアクセスする工程を含み、かつ、
個々の、記録されているクエリ提出時間枠属性と、それに対応するそれぞれの、記録されているカテゴリ属性との間の関係を特定する工程が、
前記アクセスされたクエリログに含まれている情報を解析する工程；
前記解析に基づき、個々の、記録されているクエリ提出時間枠属性と、それに対応するそれぞれの、記録されているカテゴリ属性との間の関係を特定する工程；及び
個々の、記録されているクエリ提出時間枠属性と、それに対応するそれぞれの、記録されているカテゴリ属性との間の特定された関係を示す情報を、電子記憶デバイスに保存する工程を含む、請求項１記載の方法。
【請求項３】
個々の、記録されているクエリ提出時間枠属性と、それに対応するそれぞれの、記録されているカテゴリ属性との間の関係を特定する工程が、閾値を超える前記クエリ提出時間枠属性に対応する時間枠の間に受信される可能性を有するクエリと関連付けられたカテゴリを特定する工程を含む、請求項２記載の方法。
【請求項４】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程が、前記クエリログに保存されているクエリのカテゴリ情報にアクセスする工程を含み、前記カテゴリ情報が、前記クエリログへのクエリの付加の際に決定される、請求項３記載の方法。
【請求項５】
前記検索クエリが、第１の検索クエリであり、かつ前記受信されたクエリの提出時間枠属性が、第１の受信されたクエリの提出時間枠属性であり、
前記第１の検索クエリと同一のクエリ用語を含む第２の検索クエリを受信する工程；
前記第２の受信された検索クエリに対応する、第２の受信されたクエリの提出時間枠属性を決定する工程であって、前記第２の受信されたクエリの提出時間枠属性が、前記第１の受信されたクエリの提出時間枠属性と異なる、前記工程；
前記第２の受信されたクエリの提出時間枠属性を、前記アクセスされた情報中の、前記記録されているクエリ提出時間枠属性と比較する工程；
前記第１の記録されている時間枠属性、並びに前記第２の記録されている時間枠属性と異なる、第３の記録されているクエリ提出時間枠属性が、前記第２の受信された検索クエリに対応していると決定することを条件として：
前記第２の受信された検索クエリに対応していることが決定されている、前記第３の記録されている時間枠属性、及び、前記個々の、記録されているクエリ提出時間枠属性と、それに対応するそれぞれの、記録されているカテゴリ属性との間で特定されている関係に基づき、第３の記録されているカテゴリ属性が、前記第２の受信された検索クエリに対応することを決定する工程；
をさらに含む、請求項１記載の方法。
【請求項６】
前記検索クエリに含まれているクエリ用語に基づき、前記受信された検索クエリと関連付けられた複数のカテゴリを特定する工程をさらに含み、
第１の記録されているカテゴリ属性が前記受信された検索クエリに対応することを決定する工程が、前記受信された検索クエリに対応していることが決定されている前記第１の記録されている時間枠属性、及び、前記個々の、記録されているクエリ提出時間枠属性と、それに対応するそれぞれの、記録されているカテゴリ属性との間で特定されている関係に基づき、前記特定された複数のカテゴリの中からカテゴリを選択する工程を含む、請求項１記載の方法。
【請求項７】
前記特定された検索結果を提示する工程をさらに含む、請求項１記載の方法。
【請求項８】
前記受信された検索クエリに対応する、受信されたクエリの提出時間枠属性を決定する工程が、１日のうちの１時間、週内の１日、月内の１日、年内の１日、月内の１週、年内の１週、又は年内の１ヶ月を決定する工程を含む、請求項１記載の方法。
【請求項９】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程が、少なくとも２つの、記録されているクエリ提出時間枠属性、少なくとも２つの、ユーザー特性属性、及び、少なくとも２つの、記録されているカテゴリ属性を含み、かつサーチエンジンに提出されるクエリに関連し、かつクエリログに保存されている情報、にアクセスする工程を含み、
個々の、記録されているクエリ提出時間枠属性と、それに対応するそれぞれの、記録されているカテゴリ属性との間の関係を特定する工程が、前記アクセスされた情報に基づき、前記記録されているクエリ提出時間枠属性、前記記録されているユーザー特性属性、並びに、関連の記録されているクエリ提出時間枠属性及び記録されているユーザー特性属性に対応する、それぞれの、記録されているカテゴリ属性、の間の関係を特定する工程を含み、
前記受信された検索クエリに対応する、受信されたクエリの提出時間枠属性を決定する工程が、前記受信された検索クエリに対応する、受信されたクエリの提出時間枠属性、及び、受信されたクエリのユーザー特性属性を決定する工程を含み、
前記受信されたクエリの提出時間枠属性を、前記アクセスされた情報中の、前記記録されているクエリ提出時間枠属性と比較する工程が、前記受信されたクエリの提出時間枠属性を、前記アクセスされた情報中の、前記記録されているクエリ提出時間枠属性と比較する工程、及び、前記受信されたクエリのユーザー特性属性を、前記アクセスされた情報中の、前記記録されているユーザー特性属性と比較する工程を含み、
第１の記録されているクエリ提出時間枠属性が、前記受信された検索クエリに対応していると決定することを条件として、第１の記録されているカテゴリ属性が前記受信された検索クエリに対応することを決定する工程が、第１の記録されているクエリ提出時間枠属性、及び、第１の記録されているユーザー特性属性が、前記受信された検索クエリに対応していると決定することを条件として、
前記受信された検索クエリに対応していることが決定されている、前記第１の記録されている時間枠属性と；
前記受信された検索クエリに対応していることが決定されている、前記第１の記録されているユーザー特性属性と；
前記記録されているクエリ提出時間枠属性、前記記録されているユーザー特性属性、並びに、関連の記録されているクエリ提出時間枠属性及び記録されているユーザー特性属性に対応する、それぞれの、記録されているカテゴリ属性、の間で特定されている関係と；
に基づき、第１の記録されているカテゴリ属性が前記受信された検索クエリに対応することを決定する工程を含み、かつ
前記第１の記録されているクエリ提出時間枠属性とは異なる第２の記録されているクエリ提出時間枠属性が、前記受信された検索クエリに対応していると決定することを条件として、第２の記録されているカテゴリ属性が前記受信された検索クエリに対応することを決定する工程が、第２の記録されているクエリ提出時間枠属性、及び、第２の記録されているユーザー特性属性が、前記受信された検索クエリに対応していると決定することを条件として、  
前記受信された検索クエリに対応していることが決定されている、前記第２の記録されている時間枠属性と；
前記受信された検索クエリに対応していることが決定されている、前記第２の記録されているユーザー特性属性と；
前記記録されているクエリ提出時間枠属性、前記記録されているユーザー特性属性、並びに、関連の記録されているクエリ提出時間枠属性及び記録されているユーザー特性属性に対応する、それぞれの、記録されているカテゴリ属性、の間で特定されている関係と；
に基づき、第２の記録されているカテゴリ属性が前記受信された検索クエリに対応することを決定する工程を含む、請求項１記載の方法。
【請求項１０】
前記検索クエリが第１の検索クエリであり、前記受信されたクエリの提出時間枠属性が、第１の受信されたクエリの提出時間枠属性であり、かつ前記受信されたクエリのユーザー特性属性が、第１の受信されたクエリのユーザー特性属性であり、
前記第１の検索クエリと同一のクエリ用語を含む第２の検索クエリを受信する工程；
前記第２の受信された検索クエリに対応する、第２の受信されたクエリの提出時間枠属性、及び第２の受信されたクエリのユーザー特性属性を決定する工程であって、前記第２の受信されたクエリの提出時間枠属性が、前記第１の受信されたクエリの提出時間枠属性に対応し、かつ前記第２の受信されたクエリのユーザー特性属性が、前記第１の受信されたクエリのユーザー特性属性とは異なる、前記工程；
前記第２の受信されたクエリの提出時間枠属性を、前記アクセスされた情報中の記録されているクエリ提出時間枠属性と比較する工程、及び、前記第２の受信されたクエリのユーザー特性属性を、前記アクセスされた情報中の記録されているユーザー特性属性と比較する工程；
前記第１の記録されているクエリ提出時間枠属性、及び、第３の記録されているユーザー特性属性が、前記第２の受信された検索クエリに対応し、前記第３の記録されているユーザー特性属性が、前記第１の記録されているユーザー特性属性とは異なっていると決定することを条件として、
前記第２の受信された検索クエリに対応することが決定されている、前記第１の記録されている時間枠属性及び前記第３の記録されているユーザー特性属性に基づき、第３の記録されているカテゴリ属性が、前記第２の受信された検索クエリに対応することを決定する工程であって、前記決定された第３の記録されているカテゴリ属性が、前記決定された第１の記録されているカテゴリ属性とは異なる、前記工程；及び
前記決定された第３の記録されているカテゴリ属性に基づき、検索結果を特定する工程、
をさらに含む、請求項９記載の方法。
【請求項１１】
前記受信された検索クエリに対応する、受信されたクエリのユーザー特性属性を決定する工程が、前記クエリを提出したユーザーの性別、前記クエリを提出した前記ユーザーの年齢、又は前記クエリを提出した前記ユーザーの所在地を特定する工程を含む、請求項９記載の方法。
【請求項１２】
前記記録されているクエリ提出時間枠属性、前記記録されているユーザー特性属性、並びに、関連の記録されているクエリ提出時間枠属性及び記録されているユーザー特性属性に対応する、それぞれの、記録されているカテゴリ属性、の間の関係を特定する工程が、第１のクエリ提出時間枠属性を有するクエリと関連付けられた複数の記録されているカテゴリ属性を特定する工程であって、前記複数の記録されているカテゴリ属性の各々が、異なるユーザー特性属性と関連付けられている、前記工程を含み、かつ
前記受信された検索クエリに対応していることが決定されている、前記第１の記録されている時間枠属性及び前記第１の記録されているユーザー特性属性に基づき、第１の記録されているカテゴリ属性が、前記受信された検索クエリに対応することを決定する工程が、前記受信されたクエリのユーザー特性属性に基づき、第１の記録されているカテゴリを、前記第１のクエリ提出時間枠属性を有するクエリと関連付けられた複数の記録されているカテゴリ属性の中から選択する工程を含む、請求項９記載の方法。
【請求項１３】
前記決定された第１の記録されているカテゴリ属性に基づき、検索結果を特定する工程が、
前記検索クエリを、前記決定された第１の記録されているカテゴリ属性と関連付けられたカテゴリを表すようにフォーマットする工程；及び
前記フォーマットされた検索クエリに対する検索結果を取り出す工程を含む、請求項１記載の方法。
【請求項１４】
前記検索クエリをフォーマットする工程が、前記決定された第１の記録されているカテゴリ属性と関連付けられたカテゴリを表している追加情報で前記検索クエリを補足する工程を含む、請求項１３記載の方法。
【請求項１５】
前記検索クエリを補足する工程が、前記検索クエリを、前記決定された第１の記録されているカテゴリ属性と関連付けられたカテゴリに対する検索クエリの標準形にフォーマットする工程を含む、請求項１４記載の方法。
【請求項１６】
前記検索クエリを補足する工程が、前記決定された第１の記録されているカテゴリ属性と関連付けられたカテゴリを表している１以上のキーワードで前記検索クエリを補足する工程を含む、請求項１４記載の方法。
【請求項１７】
前記決定された第１の記録されているカテゴリ属性に基づき、検索結果を特定する工程が、
前記決定された第１の記録されているカテゴリ属性と関連付けられたカテゴリを表す検索結果の少なくとも１つのソースに、前記検索クエリを送信する工程；及び
前記少なくとも１つのソースから、前記検索クエリに対する検索結果を受信する工程を含む、請求項１記載の方法。
【請求項１８】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程が、
少なくとも２つのエントリを有するテーブルにアクセスする工程であって、前記少なくとも２つのエントリの各々が、少なくとも１つのクエリ提出時間枠属性及び少なくとも１つの対応するカテゴリ属性と関連付けられている、前記工程を含み、かつ
個々の、記録されているクエリ提出時間枠属性と、それに対応するそれぞれの、記録されているカテゴリ属性との間の関係を特定する工程が、
少なくとも第１の時間枠属性と関連付けられている前記テーブルのエントリを特定する工程；及び
前記テーブル内の特定されたエントリと関連付けられている少なくとも１つのカテゴリ属性を特定する工程を含む、請求項１記載の方法。
【請求項１９】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程；
前記アクセスされた情報に基づき、個々の、記録されているクエリ提出時間枠属性と、それに対応するそれぞれの、記録されているカテゴリ属性との間の関係を特定する工程；
電子コンテンツにアクセスする工程；
前記電子コンテンツに対応する第１のカテゴリ属性を決定する工程；
現在時刻に関連する第１の時間枠属性を決定する工程；
前記個々の、記録されているクエリ提出時間枠属性と、それに対応するそれぞれの、記録されているカテゴリ属性との間で特定されている関係に基づき、前記第１の時間枠属性に対応する第２の記録されているカテゴリ属性を決定する工程；
前記第１のカテゴリ属性を、前記決定された第２の記録されているカテゴリ属性と比較する工程；
前記第１のカテゴリ属性が、前記決定された第２の記録されているカテゴリ属性に対応していると決定することを条件として：
前記第１の時間枠属性に対応する時間枠の間、前記電子コンテンツをキャッシュに保存する工程；及び
前記第１の時間枠属性に対応する時間枠の間に受信された、前記電子コンテンツに対する要求に基づき、前記キャッシュから前記電子コンテンツにアクセスする工程、
を含む、電子コンテンツをキャッシュに保存する方法。
【請求項２０】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程が、前記クエリログに含まれている情報にアクセスする工程を含み、かつ
個々の、記録されているクエリ提出時間枠属性と、それに対応するそれぞれの、記録されているカテゴリ属性との間の関係を特定する工程が、
前記アクセスされたクエリログに含まれている情報を解析する工程；
前記解析に基づき、個々の、記録されているクエリ提出時間枠属性と、それに対応するそれぞれの、記録されているカテゴリ属性との間の関係を特定する工程；及び
前記個々の、記録されているクエリ提出時間枠属性と、それに対応するそれぞれの、記録されているカテゴリ属性との間の特定された関係を示す情報を、電子記憶デバイスに保存する工程を含む、請求項１９記載の方法。
【請求項２１】
個々の、記録されているクエリ提出時間枠属性と、それに対応するそれぞれの、記録されているカテゴリ属性との間の関係を特定する工程が、閾値を超える前記クエリ提出時間枠属性に対応する時間枠の間に受信される可能性を有するクエリと関連付けられたカテゴリを特定する工程を含む、請求項２０記載の方法。
【請求項２２】
少なくとも２つの、記録されているクエリ提出時間枠属性、及び、少なくとも２つの、記録されているカテゴリ属性を含み、かつサーチエンジンに提出されるクエリに関連し、かつクエリログに保存されている情報、にアクセスする工程が、前記クエリログに保存されているクエリのカテゴリ情報にアクセスする工程を含み、前記カテゴリ情報が、前記クエリログへのクエリの付加の際に決定される、請求項２１記載の方法。
【請求項２３】
現在時刻に関連する第１の時間枠属性を決定する工程が、１日のうちの１時間、週内の１日、月内の１日、年内の１日、月内の１週、年内の１週、又は年内の１ヶ月を決定する工程を含む、請求項１９記載の方法。